(57)【要約】【課題】ラベルプリンタにコンピュータを接続することができない場所においても、コンピュータのディスプレイに表示されたフォーマットとほぼ同様のフォーマットでデータをラベルに印刷する。【解決手段】コンピュータ２がラベルプリンタ１に接続されなくてもコンピュータ２のディスプレイ３に表示されたフォーマットとほぼ同様のフォーマットにデータを展開してラベルＬに印刷する第１の編集アプリケーションをラベルプリンタ１に設ける。コンピュータ２がラベルプリンタ１に接続されている時には、コンピュータ２に設けられた第２の編集アプリケーションを用いる。一方、コンピュータ２がラベルプリンタ１に接続されていない時には、第１の編集アプリケーションを用い、コンピュータ２のディスプレイ３に表示されたフォーマットとほぼ同様のフォーマットにデータを展開してラベルＬに印刷する。【選択図】図１
2005238524.tif 000002
【特許請求の範囲】
【請求項１】
コンピュータがラベルプリンタに接続されなくてもコンピュータのディスプレイに表示されたフォーマットとほぼ同様のフォーマットにデータを展開してラベルに印刷する第１の編集アプリケーションをラベルプリンタに設け、
コンピュータがラベルプリンタに接続されている時には、コンピュータに設けられた第２の編集アプリケーションを用いることにより、コンピュータのディスプレイに表示されたフォーマットとほぼ同様のフォーマットにデータを展開してラベルに印刷し、
コンピュータがラベルプリンタに接続されていない時には、前記第１の編集アプリケーションを用いることにより、コンピュータのディスプレイに表示されたフォーマットとほぼ同様のフォーマットにデータを展開してラベルに印刷することを特徴とするラベルプリンタ。
【請求項２】
前記第１の編集アプリケーションが書き換え機能を具備することを特徴とする請求項１に記載のラベルプリンタ。
【請求項３】
ラベルプリンタに時計機能を設け、前記第１の編集アプリケーションを用いることにより、コンピュータのディスプレイに表示されたフォーマットとほぼ同様のフォーマットにデータを展開してラベルに印刷する場合に、印刷が行われる時の日付をラベルに印刷することを特徴とする請求項１又は２に記載のラベルプリンタ。
【発明の詳細な説明】
【技術分野】
【０００１】
本発明は、ラベルプリンタに関し、特には、ラベルプリンタにコンピュータを接続することができない場所においても、コンピュータのディスプレイに表示されたフォーマットとほぼ同様のフォーマットでデータをラベルに印刷することができ、更に、ラベルプリンタにコンピュータを接続することができる場所においては、高速でデータを展開してラベルに印刷することができるラベルプリンタに関する。
【背景技術】
【０００２】
従来から、リール状に巻回された台紙に貼り付けられた複数のラベルにデータを印刷するラベルプリンタが知られている。この種のラベルプリンタの例としては、例えば特開２００３−２６１３４号公報に記載されたものがある。
【０００３】
ラベルにデータを印刷するラベルプリンタの中には、コンピュータに対して接続可能に構成されたものもある。コンピュータに接続可能に構成された従来のラベルプリンタでは、コンピュータに接続された状態で印刷が行われる場合に、コンピュータに設けられた編集アプリケーションが用いられる。詳細には、まず、コンピュータの編集アプリケーションによって編集されたデータがコンピュータのディスプレイにプレビューされる。次いで、オペレータによって印刷の指示が出されると、コンピュータにおいて、データが、コンピュータのディスプレイに表示されたフォーマットとほぼ同様のフォーマットに展開され、次いで、そのデータが接続ケーブルを介してラベルプリンタに送られる。次いで、ラベルプリンタにおいて、コンピュータのディスプレイに表示されたフォーマットとほぼ同様のフォーマットでデータがラベルに印刷される。
【０００４】
一方、コンピュータに接続されていない状態で印刷が行われる場合には、ラベルプリンタは接続ケーブルを介してコンピュータからデータを受け取ることができない。そのため、従来のラベルプリンタにおいては、コンピュータの編集アプリケーションによってデータが編集されると、まず、その編集されたデータが記憶媒体に格納される。次いで、印刷すべき時に、その記憶媒体がラベルプリンタにセットされ、記憶媒体に格納されたデータが読み出される。ところが、従来のラベルプリンタには、コンピュータの編集アプリケーションが有するようなデータ展開機能が備えられていない。そのため、従来のラベルプリンタにおいては、記憶媒体から読み出されたデータを、コンピュータのディスプレイに表示されたフォーマットとほぼ同様のフォーマットに展開することができなかった。その結果、従来のラベルプリンタでは、ラベルプリンタにコンピュータを接続することができない場合に、コンピュータのディスプレイに表示されたフォーマットとほぼ同様のフォーマットでデータをラベルに印刷することができなかった。
【０００５】
図５は従来のラベルプリンタを説明するための図である。詳細には、図５（Ａ）および図５（Ｂ）はラベルプリンタがコンピュータに接続された状態で印刷が行われる場合を説明するための図、図５（Ｃ）および図５（Ｄ）はラベルプリンタがコンピュータに接続されていない状態で印刷が行われる場合を説明するための図である。
【０００６】
ラベルプリンタがコンピュータに接続された状態で印刷が行われる場合には、上述したように、コンピュータに設けられた編集アプリケーションが用いられる。詳細には、まず、図５（Ａ）に示すように、コンピュータの編集アプリケーションによって編集され、斜めに配列されたデータ「ＡＢＣ」が、コンピュータのディスプレイ３にプレビューされる。図５において、Ｌ’はディスプレイ３上におけるラベルである。次いで、オペレータによって印刷の指示が出されると、コンピュータにおいて、データ「ＡＢＣ」が、コンピュータのディスプレイ３に表示されたフォーマット（つまり、データ「ＡＢＣ」が斜めに配列されたフォーマット）とほぼ同様のフォーマットに展開され、次いで、そのデータが接続ケーブルを介してラベルプリンタに送られる。次いで、図５（Ｂ）に示すように、ラベルプリンタにおいて、コンピュータのディスプレイ３に表示されたフォーマットとほぼ同様のフォーマットでデータ「ＡＢＣ」がラベルＬに印刷される。
【０００７】
一方、ラベルプリンタがコンピュータに接続されていない状態で印刷が行われる場合には、上述したように、ラベルプリンタが接続ケーブルを介してコンピュータからデータを受け取ることができない。そのため、その場合には、図５（Ｃ）に示すように、コンピュータの編集アプリケーションによってデータ「ＡＢＣ」が編集されると、まず、その編集されたデータ「ＡＢＣ」が記憶媒体に格納される。次いで、印刷すべき時に、その記憶媒体がラベルプリンタにセットされ、記憶媒体に格納されたデータが読み出される。ところが、従来のラベルプリンタには、コンピュータの編集アプリケーションが有するようなデータ展開機能が備えられていない。そのため、従来のラベルプリンタにおいては、記憶媒体から読み出されたデータ「ＡＢＣ」を、コンピュータのディスプレイ３に表示されたフォーマット（つまり、データ「ＡＢＣ」が斜めに配列されたフォーマット）とほぼ同様のフォーマットに展開することができない。その結果、従来のラベルプリンタでは、ラベルプリンタにコンピュータを接続することができない場合に、コンピュータのディスプレイ３に表示されたフォーマットとほぼ同様のフォーマットでデータ「ＡＢＣ」をラベルＬに印刷することができず、図５（Ｄ）に示すように予め定められたフレームＦ内に「Ａ」，「Ｂ」，「Ｃ」が横一列に配列される限定されたフォーマットでデータ「ＡＢＣ」がラベルＬに印刷されてしまう。
【０００８】
【特許文献１】特開２００３−２６１３４号公報
【発明の開示】
【発明が解決しようとする課題】
【０００９】
前記問題点に鑑み、本発明は、ラベルプリンタにコンピュータを接続することができない場所においても、コンピュータのディスプレイに表示されたフォーマットとほぼ同様のフォーマットでデータをラベルに印刷することができ、更に、ラベルプリンタにコンピュータを接続することができる場所においては、高速でデータを展開してラベルに印刷することができるラベルプリンタを提供することを目的とする。
【課題を解決するための手段】
【００１０】
請求項１に記載の発明によれば、コンピュータがラベルプリンタに接続されなくてもコンピュータのディスプレイに表示されたフォーマットとほぼ同様のフォーマットにデータを展開してラベルに印刷する第１の編集アプリケーションをラベルプリンタに設け、コンピュータがラベルプリンタに接続されている時には、コンピュータに設けられた第２の編集アプリケーションを用いることにより、コンピュータのディスプレイに表示されたフォーマットとほぼ同様のフォーマットにデータを展開してラベルに印刷し、コンピュータがラベルプリンタに接続されていない時には、前記第１の編集アプリケーションを用いることにより、コンピュータのディスプレイに表示されたフォーマットとほぼ同様のフォーマットにデータを展開してラベルに印刷することを特徴とするラベルプリンタが提供される。
【００１１】
請求項２に記載の発明によれば、前記第１の編集アプリケーションが書き換え機能を具備することを特徴とする請求項１に記載のラベルプリンタが提供される。
【００１２】
請求項３に記載の発明によれば、ラベルプリンタに時計機能を設け、前記第１の編集アプリケーションを用いることにより、コンピュータのディスプレイに表示されたフォーマットとほぼ同様のフォーマットにデータを展開してラベルに印刷する場合に、印刷が行われる時の日付をラベルに印刷することを特徴とする請求項１又は２に記載のラベルプリンタが提供される。
【発明の効果】
【００１３】
請求項１に記載のラベルプリンタでは、コンピュータがラベルプリンタに接続されていない時には、ラベルプリンタに設けられた第１の編集アプリケーションを用いることにより、コンピュータのディスプレイに表示されたフォーマットとほぼ同様のフォーマットにデータが展開され、そのデータがラベルに印刷される。そのため、例えばラベルが貼り付けられる物が存在している場所のような、ラベルプリンタにコンピュータを接続することができない場所においても、コンピュータのディスプレイに表示されたフォーマットとほぼ同様のフォーマットでデータをラベルに印刷することができる。詳細には、例えばイメージデータ（ロゴ、罫線など）は、ラベルプリンタにおいてビットマップデータとして展開される。また、データがテキスト形式の場合には、例えばテキストと、文字サイズ、文字種などのテキスト情報がコンピュータから記憶媒体を介してラベルプリンタに送られ、ラベルプリンタにおいてビットマップフォントとして展開される。更に、ビットマップデータに、テキスト情報から生成されたビットマップフォントが貼り付けられて、出力用データが作成される。
【００１４】
一方、コンピュータがラベルプリンタに接続されている時には、コンピュータに設けられた第２の編集アプリケーションを用いることにより、コンピュータのディスプレイに表示されたフォーマットとほぼ同様のフォーマットにデータが展開され、そのデータがラベルに印刷される。つまり、コンピュータがラベルプリンタに接続されている時には、ラベルプリンタに設けられた第１の編集アプリケーションを用いるのではなく、処理速度が比較的速い第２の編集アプリケーションを用いてデータが展開される。そのため、ラベルプリンタにコンピュータを接続することができる場所においては、ラベルプリンタに設けられた第１の編集アプリケーションを用いてデータが展開される場合よりも高速でデータを展開してラベルに印刷することができる。詳細には、例えばイメージデータ（ロゴ、罫線など）は、コンピュータにおいてビットマップデータとして展開される。また、データがテキスト形式の場合には、コンピュータにおいて例えばTrue Typeフォントが展開される。
【００１５】
請求項２に記載のラベルプリンタでは、ラベルプリンタに設けられた第１の編集アプリケーションに書き換え機能が備えられている。そのため、例えばラベルが貼り付けられる物が存在している場所のような、ラベルプリンタにコンピュータを接続することができない場所においても、コンピュータのディスプレイに表示されたデータを書き換えたデータをラベルに印刷することができる。詳細には、ラベルプリンタにおいて、例えばテキスト、バーコード、日付などのようなオブジェクトを編集することができる。
【００１６】
請求項３に記載のラベルプリンタでは、ラベルプリンタに設けられた第１の編集アプリケーションを用いることにより、コンピュータのディスプレイに表示されたフォーマットとほぼ同様のフォーマットにデータを展開してラベルに印刷する場合に、印刷が行われる時の日付がラベルに印刷される。そのため、印刷すべきデータがコンピュータにおいて作成された時の日付と、印刷すべきデータがラベルプリンタによってラベルに印刷される時の日付とが異なる場合に、印刷すべきデータがコンピュータにおいて作成された時の日付ではなく、印刷が行われる時の日付をラベルに印刷することができる。好ましくは、例えばラベルが貼り付けられる物の製造年月日などのような、印刷が行われる時の日付が、ラベルプリンタの内蔵時計から取得されてラベルに印刷される。更に、好ましくは、コンピュータに設けられた第２の編集アプリケーションを用いることにより、コンピュータのディスプレイに表示されたフォーマットとほぼ同様のフォーマットにデータを展開してラベルに印刷する場合には、例えば印刷すべきデータがコンピュータにおいて作成された時の日付が、コンピュータの内蔵時計から取得されてラベルに印刷される。
【発明を実施するための最良の形態】
【００１７】
以下、本発明のラベルプリンタの第１の実施形態について説明する。図１は本発明のラベルプリンタの第１の実施形態の使用態様を説明するための図、図２は第１の実施形態のラベルプリンタを説明するための図である。詳細には、図２（Ａ）および図２（Ｂ）はラベルプリンタがコンピュータに接続された状態で印刷が行われる場合を説明するための図、図２（Ｃ）および図２（Ｄ）はラベルプリンタがコンピュータに接続されていない状態で印刷が行われる場合を説明するための図である。図１および図２において、１は第１の実施形態のラベルプリンタ、２はラベルプリンタ１に接続可能なコンピュータ、４はラベルプリンタ１とコンピュータ２とを接続するための接続ケーブル、５は記憶媒体である。
【００１８】
第１の実施形態のラベルプリンタ１では、図１（Ａ）に示すように、コンピュータ２に接続された状態で印刷が行われる場合には、コンピュータ２に設けられた編集アプリケーションが用いられる。詳細には、まず、図２（Ａ）に示すように、コンピュータ２の編集アプリケーションによって編集され、斜めに配列されたデータ「ＡＢＣ」が、コンピュータ２のディスプレイ３にプレビューされる。次いで、オペレータによってコンピュータ２のキーボードを介して印刷の指示が出されると、コンピュータ２において、データ「ＡＢＣ」が、コンピュータ２のディスプレイ３に表示されたフォーマット（つまり、データ「ＡＢＣ」が斜めに配列されたフォーマット）とほぼ同様のフォーマットに展開され、次いで、そのデータが接続ケーブル４を介してラベルプリンタ１に送られる。次いで、図２（Ｂ）に示すように、ラベルプリンタ１において、コンピュータ２のディスプレイ３に表示されたフォーマット（図２（Ａ）参照）とほぼ同様のフォーマットでデータ「ＡＢＣ」がラベルＬに印刷される。
【００１９】
また、図１（Ｂ）に示すように、ラベルプリンタ１がコンピュータ２に接続されていない状態で印刷が行われる場合には、ラベルプリンタ１が接続ケーブル４を介してコンピュータ２からデータを受け取ることができない。そのため、図２（Ｃ）に示すように、コンピュータ２の編集アプリケーションによってデータ「ＡＢＣ」が編集されると、まず、図１（Ｂ）に示すように、その編集されたデータ「ＡＢＣ」が記憶媒体５に格納される。次いで、印刷すべき時に、その記憶媒体５がラベルプリンタ１にセットされ、記憶媒体５に格納されたデータ「ＡＢＣ」が読み出される。
【００２０】
従来のラベルプリンタとは異なり、第１の実施形態のラベルプリンタ１には、コンピュータ２の編集アプリケーションが有するようなデータ展開機能を備えた編集アプリケーションが設けられている。つまり、第１の実施形態のラベルプリンタ１には、コンピュータ２がラベルプリンタ１に接続されていなくてもコンピュータ２のディスプレイ３に表示されたフォーマットとほぼ同様のフォーマットにデータを展開してラベルＬに印刷することができる編集アプリケーションが、コンピュータ２の編集アプリケーションとは別個に設けられている。
【００２１】
そのため、上述したように、ラベルプリンタ１にセットされた記憶媒体５からデータ「ＡＢＣ」が読み出されると、ラベルプリンタ１の編集アプリケーションが用いられる。それにより、記憶媒体５から読み出されたデータ「ＡＢＣ」が、コンピュータ２のディスプレイ３に表示されたフォーマット（図２（Ｃ）参照）とほぼ同様のフォーマットに展開され、その展開されたデータ「ＡＢＣ」が、図２（Ｄ）に示すように、ラベルＬに印刷される。
【００２２】
このように、第１の実施形態のラベルプリンタ１によれば、例えばラベルＬが貼り付けられる物が存在している現場のような、ラベルプリンタ１にコンピュータ２を接続することができない場所においても、コンピュータ２のディスプレイ３に表示されたフォーマット（図２（Ｃ）参照）とほぼ同様のフォーマット（図２（Ｄ）参照）でデータをラベルＬに印刷することができる。
【００２３】
詳細には、図１（Ｂ）に示すように、例えばイメージデータ（ロゴ、罫線など）は、コンピュータ２から記憶媒体５を介してラベルプリンタ１に送られると、ラベルプリンタ１において、ラベルプリンタ１の編集アプリケーションによってビットマップデータとして展開される。また、データがテキスト形式の場合には、例えばテキスト、文字サイズ、文字種、位置などのテキスト情報が、コンピュータ２から記憶媒体５を介してラベルプリンタ１に送られると、ラベルプリンタ１において、ラベルプリンタ１の編集アプリケーションによってビットマップフォントとして展開される。更に、ラベルプリンタ１では、ビットマップデータに、テキスト情報から生成されたビットマップフォントが貼り付けられて、出力用データが作成される。
【００２４】
第１の実施形態のラベルプリンタ１では、図１（Ａ）に示したように、ラベルプリンタ１がコンピュータ２に接続された状態で印刷が行われる場合には、コンピュータ２に設けられた編集アプリケーションが用いられる。それにより、コンピュータ２のディスプレイ３に表示されたフォーマット（図２（Ａ）参照）とほぼ同様のフォーマット（図２（Ｂ）参照）にデータ「ＡＢＣ」が展開され、そのデータ「ＡＢＣ」がラベルＬに印刷される。つまり、図１（Ａ）に示したように、コンピュータ２がラベルプリンタ１に接続されている時には、ラベルプリンタ１の編集アプリケーションを用いるのではなく、処理速度が比較的速いコンピュータ２の編集アプリケーションを用いてデータ「ＡＢＣ」が展開される。そのため、ラベルプリンタ１にコンピュータ２を接続することができる場所においては、ラベルプリンタ１の編集アプリケーションを用いてデータ「ＡＢＣ」が展開される場合よりも高速でデータ「ＡＢＣ」を展開してラベルＬに印刷することができる。詳細には、図１（Ａ）に示すように、例えばイメージデータ（ロゴ、罫線など）は、コンピュータ２においてビットマップデータとして展開される。また、データがテキスト形式の場合には、コンピュータ２において例えばTrue Typeフォントが展開される。
【００２５】
以下、本発明のラベルプリンタの第２の実施形態について説明する。第２の実施形態のラベルプリンタは、後述する点を除き、上述した第１の実施形態のラベルプリンタと同様に構成されている。そのため、後述する点を除き、上述した第１の実施形態のラベルプリンタと同様の効果を奏することができる。
【００２６】
第２の実施形態のラベルプリンタでは、上述したラベルプリンタ１の編集アプリケーションに書き換え機能が備えられている。図３は第２の実施形態のラベルプリンタを説明するための図である。詳細には、図３（Ｃ）および図３（Ｄ）はラベルプリンタがコンピュータに接続されていない状態で印刷が行われる場合を説明するための図である。
【００２７】
第２の実施形態のラベルプリンタでは、図１（Ｂ）に示すように、ラベルプリンタ１がコンピュータ２に接続されていない状態で印刷が行われる場合には、図３（Ｃ）に示すように、コンピュータ２の編集アプリケーションによってデータ「ＡＢＣ」が編集されると、まず、図１（Ｂ）に示すように、その編集されたデータ「ＡＢＣ」が記憶媒体５に格納される。次いで、印刷すべき時に、その記憶媒体５がラベルプリンタ１にセットされ、記憶媒体５に格納されたデータ「ＡＢＣ」が読み出される。
【００２８】
第２の実施形態のラベルプリンタでは、ラベルプリンタ１にセットされた記憶媒体５からデータ「ＡＢＣ」が読み出された時に、ラベルプリンタ１の編集アプリケーションの書き換え機能により、データ「ＡＢＣ」を例えばデータ「ＡＢＤ」に書き換えることができる。詳細には、オペレータがラベルプリンタ１の操作部を介して「Ｃ」を「Ｄ」に書き換えることにより、データ「ＡＢＣ」をデータ「ＡＢＤ」に書き換えることができる。それにより、書き換えられたデータ「ＡＢＤ」が、コンピュータ２のディスプレイ３に表示されたフォーマット（図３（Ｃ）参照）とほぼ同様のフォーマットに展開され、その展開されたデータ「ＡＢＤ」が、図３（Ｄ）に示すように、ラベルＬに印刷される。
【００２９】
このように、第２の実施形態のラベルプリンタによれば、例えばラベルが貼り付けられる物が存在している現場のような、ラベルプリンタ１にコンピュータ２を接続することができない場所においても、コンピュータ２のディスプレイ３に表示されたデータ「ＡＢＣ」とは異なるデータ「ＡＢＤ」をラベルＬに印刷することができる。詳細には、ラベルプリンタ１において、例えばテキスト、バーコード、日付などのようなオブジェクトを編集することができる。
【００３０】
以下、本発明のラベルプリンタの第３の実施形態について説明する。第３の実施形態のラベルプリンタは、後述する点を除き、上述した第１の実施形態のラベルプリンタと同様に構成されている。そのため、後述する点を除き、上述した第１の実施形態のラベルプリンタと同様の効果を奏することができる。
【００３１】
第３の実施形態のラベルプリンタでは、図１（Ｂ）に示したように、ラベルプリンタ１の編集アプリケーションを用いることにより、コンピュータ２のディスプレイ３に表示されたフォーマットとほぼ同様のフォーマットにデータ「ＡＢＣ」を展開してラベルＬに印刷する場合に、印刷が行われる時の日付（例えば「２００４．２．２０」）がラベルＬに印刷される。
【００３２】
図４は第３の実施形態のラベルプリンタを説明するための図である。詳細には、図４（Ｃ）および図４（Ｄ）はラベルプリンタがコンピュータに接続されていない状態で印刷が行われる場合を説明するための図である。
【００３３】
第３の実施形態のラベルプリンタでは、図１（Ｂ）に示すように、ラベルプリンタ１がコンピュータ２に接続されていない状態で印刷が行われる場合には、図４（Ｃ）に示すように、コンピュータ２の編集アプリケーションによってデータ「ＡＢＣ」が編集されると、まず、図１（Ｂ）に示すように、その編集されたデータ「ＡＢＣ」が記憶媒体５に格納される。次いで、印刷すべき時に、その記憶媒体５がラベルプリンタ１にセットされ、記憶媒体５に格納されたデータ「ＡＢＣ」が読み出される。
【００３４】
次いで、ラベルプリンタ１の編集アプリケーションが用いられ、それにより、記憶媒体５から読み出されたデータ「ＡＢＣ」が、コンピュータ２のディスプレイ３に表示されたフォーマット（図４（Ｃ）参照）とほぼ同様のフォーマットに展開される。
【００３５】
第３の実施形態のラベルプリンタでは、コンピュータ２のディスプレイ３に表示されたフォーマット（図４（Ｃ）参照）とほぼ同様のフォーマットにデータ「ＡＢＣ」を展開してラベルＬに印刷する場合に、図４（Ｄ）に示すように、展開されたデータ「ＡＢＣ」に加えて、印刷が行われる時の日付「２００４．２．２０」がラベルＬに印刷される。
【００３６】
このように、第３の実施形態のラベルプリンタによれば、印刷すべきデータ「ＡＢＣ」がコンピュータ２において作成された時の日付（例えば「２００４．２．１５」）と、印刷すべきデータ「ＡＢＣ」がラベルプリンタ１によってラベルＬに印刷される時の日付「２００４．２．２０」とが異なる場合に、印刷すべきデータ「ＡＢＣ」がコンピュータ２において作成された時の日付「２００４．２．１５」ではなく、印刷が行われる時の日付「２００４．２．２０」をラベルＬに印刷することができる。
【００３７】
詳細には、第３の実施形態のラベルプリンタでは、例えばラベルＬが貼り付けられる物の製造年月日などのような、印刷が行われる時の日付が、ラベルプリンタ１の内蔵時計から取得されてラベルに印刷される。更に、図１（Ａ）に示したように、コンピュータ２の編集アプリケーションを用いることにより、コンピュータ２のディスプレイ３に表示されたフォーマットとほぼ同様のフォーマットにデータを展開してラベルＬに印刷する場合には、例えば印刷すべきデータがコンピュータ２において作成された時の日付が、コンピュータ２の内蔵時計から取得されてラベルＬに印刷される。
【００３８】
第４の実施形態では、上述した第２および第３の実施形態を適宜組み合わせることも可能である。
【図面の簡単な説明】
【００３９】
【図１】本発明のラベルプリンタの第１の実施形態の使用態様を説明するための図である。
【図２】第１の実施形態のラベルプリンタを説明するための図である。
【図３】第２の実施形態のラベルプリンタを説明するための図である。
【図４】第３の実施形態のラベルプリンタを説明するための図である。
【図５】従来のラベルプリンタを説明するための図である。
【符号の説明】
【００４０】
１    ラベルプリンタ
２    コンピュータ
３    ディスプレイ
４    接続ケーブル
５    記憶媒体
Ｌ    ラベル
【図１】
2005238524.tif 000003
【図２】
2005238524.tif 000004
【図３】
2005238524.tif 000005
【図４】
2005238524.tif 000006
【図５】
2005238524.tif 000007